(57)【要約】【課題】  確実な取付け状態を確保する点に加えて、衝撃が作用した時にも四方への飛散を防ぐ。【解決手段】  各階の躯体壁面３とエスカレータ１の移動手すり５とによって形成された三角コーナ部７に揺動自在に吊り下げられる板状のガードパネル部１１と、そのガードパネル部１１の端部に沿って取り付けられた上下に長いガード筒部１３とで三角コーナ安全ガード９を形成する一方、前記ガードパネル部１１とガード筒部１３とにわたって全面に薄いシート１７を貼り付ける。【選択図】      図１
2005280936.tif 000002
【特許請求の範囲】
【請求項１】
エスカレータが配置された各階の躯体壁面と前記エスカレータの移動手すりとによって形成される三角コーナ部の三角コーナ安全ガードであって、
三角コーナ安全ガードは、前記三角コーナ部に揺動自在に吊り下げられる板状のガードパネル部と、そのガードパネル部の端部に沿って取り付けられた上下に長いガード筒部とからなり、前記ガードパネル部とガード筒部は、少なくとも片側全面にわたって薄いシートが貼り付けられていることを特徴とするエスカレータの三角コーナ安全ガード。
【請求項２】
エスカレータが配置された各階と躯体壁面と前記エスカレータの移動手すりとによって形成される三角コーナ部の三角コーナ安全ガードであって、三角コーナ安全ガードは、前記三角コーナ部に揺動自在に吊り下げられる板状のガードパネルで形成されると共にガードパネルのパネル面は全領域面にわたって薄いシートが貼り付けられていることを特徴とするエスカレータの三角コーナ安全ガード。
【発明の詳細な説明】
【技術分野】
【０００１】
本発明は、エスカレータによって上の階へ昇る時に、各階の躯体壁面と前記エスカレータの移動手すりとによって形成される三角コーナ部の安全を確保するエスカレータの三角コーナ安全ガードに関する。
【背景技術】
【０００２】
エスカレータが配置された各階にはエスカレータによって上の階へ昇る時に、各階の躯体壁面と前記エスカレータの移動手すりによって例えば、図６に示すように三角形状の三角コーナ部１０１が作られるようになる。
【０００３】
三角コーナ部１０１は、移動手すり１０３の外側に手あるいは首を突き出しているとその躯体壁面１０５と衝突する恐れがあるところから、三角コーナ安全ガード１０７が設けられている。
【０００４】
三角コーナ安全ガード１０７は、板状のガードパネル部１０９とそのガードパネル部１０９の端部に沿って取付けられた上下に長いガード筒部１１１とからなり、ガードパネル部１０９は各階の躯体壁面１０５に揺動自在に吊下げ支持されている。
【０００５】
ガード筒部１１１は、ガードパネル部１０９と共に素材は透明なプラスチック製で、見栄えの面から接着材を用いた接着結合となっている。
【０００６】
三角コーナ安全ガード１０７は、例えば、移動手すり１０３の外に手を大きく突出させていると、ガード筒部１１１との接触によって全体が揺れることで、強い衝突が起きないようにすることと、危ない、ということを気ずかせることで突出させた手を引込めさせるためのものである。
【０００７】
三角コーナ安全ガード１０７のガード筒部１１１は、前記した如くガードパネル部１０９と接着結合されているが、この接着結合の状態が良くわからないのが現状となっている点に加えて、触れ易い位置にあるため、いたずら等で接触される機会が多く、接着管理を怠たるとガイド筒部１１１はガイドパネル部１０９から落下する恐れがある。
【０００８】
また、例えば業者の荷物搬入時に荷物の角がガードパネル部１０９に強く衝突した際にその衝撃によって場合によっては四方へ飛散することもありうる。
【非特許文献１】社団法人  日本エレベータ協会「昇降機標準語集」昭和５３年４月１０日発行
【発明の開示】
【発明が解決しようとする課題】
【０００９】
前記した如く三角コーナ安全ガードのガード筒部は接着管理を怠たるとガードプレート部から落下し易くなるところから、本発明は確実な取付け状態を確保することとに加えて、ガードプレート部に強い衝撃が作用しても四方への飛散を確実に防ぐようにする。
【課題を解決するための手段】
【００１０】
本発明にあっては、第１に、エスカレータが配置された各階の躯体壁面と前記エスカレータの移動手すりとによって形成される三角コーナ部の三角コーナ安全ガードであって、三角コーナ安全ガードは、前記三角コーナ部に揺動自在に吊り下げられる板状のガードパネル部と、そのガードパネル部の端部に沿って取り付けられた上下に長いガード筒部とからなり、前記ガードパネル部とガード筒部は、少なくとも片側全面にわたって薄いシートが貼り付けられていることを特徴とする。
【００１１】
第２に、エスカレータが配置された各階と躯体壁面と前記エスカレータの移動手すりとによって形成される三角コーナ部の三角コーナ安全ガードであって、三角コーナ安全ガードは、前記三角コーナ部に揺動自在に吊り下げられる板状のガードパネルで形成されると共にガードパネルのパネル面は全領域面にわたって薄いシートが貼り付けられていることを特徴とする。
【発明の効果】
【００１２】
本発明の三角コーナ安全ガードによれば、接着管理が甘くなったとしてもシートによって、ガードパネル部とガード筒部との確実な取付け状態を得ることができると共に、ガードパネル部に何等から要因で強い衝撃が加わったとしてもひびが入るのみで四方へ飛散するのを確実に防ぐことができる。
【発明を実施するための最良の形態】
【００１３】
ガードパネル部とガード筒部との確実な取付け状態と四方への飛散を防ぐという目的を、薄いシートによって見栄えを損なわずに実現した。
【実施例１】
【００１４】
図１はエスカレータ１が配置された階の躯体壁面３とエスカレータ１の移動手すり５とによって形成された三角コーナ部７の三角コーナ安全ガード９を示している。
【００１５】
三角コーナ安全ガード９は、この実施形態では３０度部用となっている。
【００１６】
材質は透明なプラスチック製で、板状のガードパネル部１１と上下に長い筒状のガード筒部１３とから成っている。ガードパネル部１１は、各階の躯体壁面３に紐やチェーン等の支持手段１５によって揺動自在に吊下げられた状態で支持されている。
【００１７】
ガード筒部１３は、ガードパネル部１１の端部に沿って接着剤により接着結合されている。
【００１８】
ガード筒部１３とガードパネル部１１には図２に示すように少なくとも片側全領域面にわたって一体に連続する薄い透明なシート１７が貼り付けられている。
【００１９】
シート１７は、一体に連続してガード筒部１３からガードパネル部１１にわたって設けられることで、見栄えを損なうことなく両者間の結合を図る結合手段として機能と、板状に形成されたガードパネル部１１の飛散を防ぐ飛散防止機能とをそれぞれ備えている。
【００２０】
この場合、シート１７を貼り付ける領域を片面だけでなく、両面とすることで、より確実な両者間の結合状態が得られる。
【００２１】
また、シート１７は基本的な条件としては薄いことと透明体であることが望ましいが色付きのものであってもよい。
【００２２】
このように構成された三角コーナ安全ガード９によれば、ガードパネル部１１とガード筒部１３は接着結合に加えてその両者間にわたって貼り付けられたシート１７により良い確実な結合状態が得られるようになる。このため、例えば、ガード筒部１３等をいたずら等で頻繁に触れられてもガードパネル部１１から落下するという事故を確実になくすことができる。
【００２３】
一方、例えば、搬出入時の荷物等がガードパネル部１１に衝突し、強い衝撃が働らいてもシート１７によって四方へ飛散することはなく、ひび割れが入るだけで済むようになる。
【００２４】
なお、本発明の三角コーナ安全ガード９は、３０度部用として説明したが、図４に示すようにガードパネル部１１とガード筒部１３とから成る三角コーナ安全ガード１９を６０度部用として実施することも可能である。
【００２５】
また、実施例１のシート１７は結合手段としての機能と四方への飛散防止機能が同時に得られるようになっているが結合手段としての機能はなくてもよい。
【００２６】
図６はその実施例２を示したもので、三角コーナ安全ガード９を板状の透明なガードパネル部２１で形成し、そのガードパネル部２１の全領域面にわたって薄い透明なシート２３を貼り付けることで、見栄えを損なうことなくガードパネル部２１のパネル面の面強度と四方への飛散を防ぐことが可能となる。
【図面の簡単な説明】
【００２７】
【図１】この発明にかかる実施例１の三角コーナ安全ガードをエスカレータの三角コーナ部に実施した概要説明図。
【図２】三角コーナ安全ガードとその三角コーナ安全ガードに貼り付けるシートの概要説明図。
【図３】三角コーナ安全ガードをガードパネル部側からみた概要説明図。
【図４】６０度部用の三角コーナ安全ガードの図２と同様の概要説明図。
【図５】実施例２の三角コーナ安全ガードの概要説明図。
【図６】従来例を示した三角コーナ安全ガードの概要説明図。
【符号の説明】
【００２８】
１…エスカレータ
３…躯体壁面
５…移動手すり
７…三角コーナ部
９…三角コーナ安全ガード
１１…ガードパネル部
１３…ガード筒部
１７…シート
【図１】
2005280936.tif 000003
【図２】
2005280936.tif 000004
【図３】
2005280936.tif 000005
【図４】
2005280936.tif 000006
【図５】
2005280936.tif 000007
【図６】
2005280936.tif 000008